(57)【要約】多層ラベルアセンブリ装置。ラベル印刷装置、ラベル分配機構、及びラベル分配機構に隣接する位置でラベル印刷装置に取り付けられたレセプタクルが提供される。【選択図】図１１
2021519715.tif 000002
【特許請求の範囲】
【請求項１】
多層ラベルアセンブリ装置であって、
印刷機構とラベル分配機構とを備えるラベル印刷装置、及び
前記ラベル分配機構に隣接する位置で前記ラベル印刷装置に取り付けられたレセプタクルであって、前記レセプタクルは剛性材料で構成され、前記レセプタクルは、前記ラベル印刷装置に隣接する近位縁と前記近位縁の反対側の遠位縁とを含み、前記レセプタクルはさらに前記ラベル分配機構から分配されたラベルを受け入れるのに適した少なくとも１つの実質的に水平な表面を備え、前記少なくとも１つの実質的に水平な表面は、前記ラベル分配機構から分配された前記ラベル上の接着剤に耐性がある、前記レセプタクルを備える、多層ラベルアセンブリ装置。
【請求項２】
前記レセプタクルの前記実質的に水平な表面上の第１のラベルであって、少なくとも一部が前記レセプタクルの前記遠位縁に張り出している、前記第１のラベル
をさらに含む、請求項１に記載の多層ラベルアセンブリ装置。
【請求項３】
前記第１のラベルの上に重ねられ、整列されている第２のラベルをさらに含む、請求項２に記載の多層ラベルアセンブリ装置。
【請求項４】
前記遠位縁が、前記遠位縁にノッチ領域を画定する輪郭を含む、請求項１に記載の多層ラベルアセンブリ装置。
【請求項５】
前記レセプタクルの前記実質的に水平な表面上の第１のラベルであって、少なくとも一部が前記ノッチ領域に張り出している前記第１のラベル
をさらに含む、請求項４に記載の多層ラベルアセンブリ装置。
【請求項６】
前記第１のラベルの上に重ねられ、整列されている第２のラベルをさらに含む、請求項５に記載の多層ラベルアセンブリ装置。
【請求項７】
前記ラベル印刷装置上のラベル存在センサー、及び
前記レセプタクル内の空隙であって、前記ラベル存在センサーと整列している前記空隙
をさらに含む、請求項１に記載の多層ラベルアセンブリ装置。
【請求項８】
前記レセプタクルの前記実質的に水平な表面上の第１のラベルであって、少なくとも一部が前記空隙を覆う前記第１のラベル
をさらに含む、請求項７に記載の多層ラベルアセンブリ装置。
【請求項９】
前記第１のラベルの上に重ねられ、整列されている第２のラベル
をさらに含む、請求項８に記載の多層ラベルアセンブリ装置。
【請求項１０】
多層ラベルアセンブリ装置であって、
印刷機構とラベル分配機構とを備えるラベル印刷装置、及び
前記ラベル分配機構に隣接する位置であるが前記ラベル印刷装置に取り付けられていないレセプタクルであって、前記レセプタクルは剛性材料で構成され、前記レセプタクルは、前記ラベル印刷装置に隣接する近位縁と前記近位縁の反対側の遠位縁とを含み、前記レセプタクルはさらに前記ラベル分配機構から分配されたラベルを受け入れるのに適した少なくとも１つの実質的に水平な表面を備え、前記少なくとも１つの実質的に水平な表面は、前記ラベル分配機構から分配された前記ラベル上の接着剤に耐性がある、前記レセプタクル
を備える、多層ラベルアセンブリ装置。
【請求項１１】
前記レセプタクルの前記実質的に水平な表面上の第１のラベルであって、少なくとも一部が前記レセプタクルの前記遠位縁に張り出している、前記第１のラベル
をさらに含む、請求項１０に記載の多層ラベルアセンブリ装置。
【請求項１２】
前記第１のラベルの上に重ねられ、整列されている第２のラベル
をさらに含む、請求項１１に記載の多層ラベルアセンブリ装置。
【請求項１３】
前記遠位縁が、前記遠位縁にノッチ領域を画定する輪郭を含む、請求項１０に記載の多層ラベルアセンブリ装置。
【請求項１４】
前記レセプタクルの前記実質的に水平な表面上の第１のラベルであって、少なくとも一部が前記ノッチ領域に張り出している前記第１のラベル
をさらに含む、請求項１３に記載の多層ラベルアセンブリ装置。
【請求項１５】
前記第１のラベルの上に重ねられ、整列されている第２のラベル
をさらに含む、請求項１４に記載の多層ラベルアセンブリ装置。
【請求項１６】
前記レセプタクルが、上面及び反対側の底面を備え、前記多層ラベルアセンブリ装置は、前記底面に接続された１つ以上の脚部をさらに備える、請求項１０に記載の多層ラベルアセンブリ装置。
【請求項１７】
前記１つ以上の脚部の少なくとも１つは調節可能である、請求項１６に記載の多層ラベルアセンブリ装置。
【請求項１８】
前記ラベル印刷装置上のラベル存在センサー、及び
前記レセプタクル内の空隙であって、前記ラベル存在センサーと整列している前記空隙
をさらに含む、請求項１０に記載の多層ラベルアセンブリ装置。
【請求項１９】
前記レセプタクルの前記実質的に水平な表面上の第１のラベルであって、少なくとも一部が前記空隙を覆う前記第１のラベル
をさらに含む、請求項１８に記載の多層ラベルアセンブリ装置。
【請求項２０】
前記第１のラベルの上に重ねられ、整列されている第２のラベル
をさらに含む、請求項１９に記載の多層ラベルアセンブリ装置。
【発明の詳細な説明】
【背景技術】
【０００１】
ラベルは通常、印刷された標識をパッケージに固定して、出荷やその他の情報を示すために使用される。出荷の用途の場合、購入した品目を含む顧客に出荷されるパッケージの内部に別個のパッキングリストが同封される場合がある。
【０００２】
下方ラベルと上方ラベルを印刷して表面に適用することができるラベリング方法が強く求められている。例えば、密封されたカートンの表面にパッキングリストと出荷ラベルを印刷して適用することができるラベリング方法に対する強い需要がある。カートンはパッキングリストの生成前に密封されるため、パッキングリストを挿入するためにカートンを開くことは効率的ではない。このようなパッケージを大量に出荷するには、パッケージにパッキングリストと出荷ラベルを迅速に添付する必要がある。最終的な受取人が発送されたパッケージを受け取るまで、パッキングリストの情報を隠すことが好ましい。
【発明の概要】
【発明が解決しようとする課題】
【０００３】
前述の理由により、既存のラベリングフォーム及び方法の多くの欠点を回避しながら、パッキングリストラベル及び出荷ラベルを密封されたカートンの表面に印刷及び適用することができるラベリングフォーム及び方法を提供することが望ましい。
【課題を解決するための手段】
【０００４】
本開示は、表面に適用するためのラベルの少なくとも１つのシステムの開示を含む。少なくとも１つの実施形態では、本開示によるラベルシステムは、キャリア材料、上方ラベル、及び下方ラベルを含む。少なくとも１つのそのような実施形態の上方ラベルは、上面及び反対側の下面を含み、上面及び下面は前縁と後縁を有し、下面はキャリア材料に接している。少なくとも１つのそのような実施形態の下方ラベルは、上側及び反対側の下側を含み、上側及び下側は前方マージンと後方マージンを有し、下側はキャリア材料に接している。本開示の少なくとも１つのそのような実施形態によれば、上方ラベル及び下方ラベルは、前方マージンに隣接する後縁と隣接する位置でキャリア材料と接触し、上方ラベル及び下方ラベルは、キャリア材料からラベルアプリケータ装置に順次分配するように構成され、したがって、上方ラベル及び下方ラベルがラベルアプリケータ装置に分配されるとき、下方ラベルは、上方ラベル及び下方ラベルを物品に取り付ける前に、上方ラベルの下面に対して配置される。
【０００５】
本開示の少なくとも１つの実施形態の態様では、上方ラベルは取り外し可能セグメントを含み、下方ラベルは取り外し可能領域を含み、上方ラベルと下方ラベルがラベルアプリケータ装置上に分配されるとき、取り外し可能セグメント及び取り外し可能領域が位置合わせされている。
【０００６】
本開示の少なくとも１つの実施形態の態様では、下面は、接着特性が低下したゾーンを含み、下側は、接着特性が低下した領域を含み、上方ラベル及び下方ラベルがラベルアプリケータ装置に分配される場合、接着特性が低下したゾーンと接着特性が低下した領域が位置合わせされている。
【０００７】
本開示の少なくとも１つの実施形態の態様では、接着特性が低下したゾーンは、接着抑制剤で覆われた接着剤層を含む。
【０００８】
本開示の少なくとも１つの実施形態の態様では、接着特性が低下した領域は、接着抑制剤で覆われた接着剤層を含む。
【０００９】
本開示の少なくとも１つの実施形態の態様では、上方ラベルは貫通する１つまたは複数の穴を含み、上方ラベル及び下方ラベルがラベルアプリケータ装置上に分配されるとき、下方ラベルはラベルアプリケータ装置によって生成された吸引力により上方ラベルの下面に対して定位置に保持され、吸引力は、１つまたは複数の穴を通して作用する。
【００１０】
本開示の少なくとも１つの実施形態の態様では、下側すべてが接着特性の低下を含む。
【００１１】
本開示の少なくとも１つの実施形態の態様では、下側すべてが、接着抑制剤で覆われた接着剤層を含む。
【００１２】
本開示の少なくとも１つの実施形態の態様では、下面は、下面をキャリア材料に取り外し可能に接着する感圧接着剤を含む。
【００１３】
少なくとも１つの実施形態では、本開示によるラベルシステムは、キャリア材料、上方ラベル、及び下方ラベルを含む。少なくとも１つのそのような実施形態の上方ラベルは、キャリア材料に取り外し可能に接着され、上面、下面、及び取り外し可能セグメントを含む。少なくとも１つのそのような実施形態の上方ラベルは、前縁、後縁、ならびに第１及び第２の側縁によって境界付けられる。少なくとも１つのそのような実施形態の上方ラベルの下面は、その少なくとも一部に接着剤を含み、そのような上方ラベルは、接着剤によってキャリア材料に取り外し可能に接着される。少なくとも１つのそのような実施形態の下方ラベルは、上方ラベルに隣接するキャリア材料上の位置でキャリア材料に取り外し可能に接着され、上側及び反対側の下側を含む。少なくとも１つのそのような実施形態の下方ラベルは、前方マージン、後方マージン、ならびに第１及び第２の側方マージンによって境界付けられる。本開示の少なくとも１つのそのような実施形態によれば、上方ラベル及び下方ラベルは、キャリア材料からラベルアプリケータ装置に順次分配するように構成され、その結果、上方ラベル及び下方ラベルがラベルアプリケータ装置に分配されるとき、上面はラベルアプリケータ装置に対して配置され、下方ラベルの上側は上方ラベルの下面に対して配置され、下側は露出している。
【００１４】
本開示の少なくとも１つの実施形態の態様では、上方ラベルの上側は、前方マージン、後方マージン、ならびに第１及び第２の側方マージンによって囲まれる第１の表面領域を含み、下方ラベルの上面は、前縁、後縁、ならびに第１及び第２の側縁によって囲まれる第２の表面領域を含み、第２の表面領域は第１の表面領域ほど大きくはない。
【００１５】
少なくとも１つの実施形態では、本開示によるラベルシステムは、キャリア材料、キャリア材料上の取り外し可能な上方ラベル、及び上方ラベルに隣接するキャリア材料上の位置にあるキャリア材料上の取り外し可能な下方シートを含む。少なくとも１つのそのような実施形態の上方ラベルは、上面及び反対側の下面を含み、下面はキャリア材料に面している。少なくとも１つのそのような実施形態の下方シートは、上側及び反対側の下側を含み、下側はキャリア材料に面している。本開示の少なくとも１つのそのような実施形態によれば、上方ラベル及び下方シートは、上方ラベル及び下方シートが、ラベルアプリケータ装置に分配されるときに下方シートの上側が下面に対して配置されるように、キャリア材料からラベルアプリケータ装置上に順次分配するように構成される。
【００１６】
本開示の少なくとも１つの実施形態の態様では、上方ラベルは取り外し可能セグメントを含み、下方シートは取り外し可能領域を含み、下方シートがラベルアプリケータ装置上に分配されるとき、取り外し可能セグメント及び取り外し可能領域が位置合わせされている。
【００１７】
本開示の少なくとも１つの実施形態の態様では、上方ラベルの下面は接着特性が低下したゾーンを含み、下方シートの下側は接着特性が低下した領域を含み、下方シートがラベルアプリケータ装置上に分配されるとき、接着特性が低下したゾーン、及び接着特性が低下した領域が位置合わせされている。
【００１８】
本開示の少なくとも１つの実施形態の態様では、接着特性が低下したゾーンは、接着抑制剤で覆われた接着剤層を含む。
【００１９】
本開示の少なくとも１つの実施形態の態様では、接着特性が低下した領域は、接着抑制剤で覆われた接着剤層を含む。
【００２０】
本開示の少なくとも１つの実施形態の態様では、上方ラベルは貫通する１つまたは複数の穴を含み、下方シートは、ラベルアプリケータ装置によって生成される吸引力によって上方ラベルの下面に対して定位置に保持され、吸引力は１つ以上の穴を通して作用する。
【００２１】
本開示の少なくとも１つの実施形態の態様では、下方シートは、ラベルアプリケータ装置によって生成される吸引力によって、上方ラベルの下面に対して定位置に保持される。
【００２２】
本開示の少なくとも１つの実施形態の態様では、下方シートの下側全体が接着特性の低下を含む。
【００２３】
本開示の少なくとも１つの実施形態の態様では、下方シートの下側全体が、接着抑制剤で覆われた接着剤層を含む。
【００２４】
本開示の少なくとも１つの実施形態の態様では、上方ラベルの下面は接着剤を含み、下方シートがラベルアプリケータ装置上に分配されるとき、下面の接着剤は下方シートの上側と接着するように相互作用する。
【００２５】
少なくとも１つの実施形態では、本開示によるラベルシステムは、第１のラベルであって、上側及び反対側の下側を有するシート材料であって、上側及び下側が、前縁、後縁、ならびに前縁と後縁を接続する第１及び第２の側縁によって境界付けられるシート材料、シート材料の少なくとも１つの脆弱線であって、少なくとも１つの脆弱線は前縁、後縁、または第１または第２の側縁のいずれとも交差しておらず、少なくとも１つの脆弱線は前縁に向けられた頂点を有する少なくとも１つの非線形セグメントを含み、少なくとも１つの脆弱線内の取り外し可能領域を画定する少なくとも１つの脆弱線、及び少なくとも１つの脆弱線の外側のフレーム領域、及び下側のフレーム領域の少なくとも一部の接着剤を含む第１のラベル；ならびに第１のラベルと同一である第２のラベルを含み、第２のラベルは、第１のラベル及び第２のラベルの取り外し可能領域が位置合わせされた状態で第１のラベルの上に重ねられて接着される。
【００２６】
少なくとも１つの実施形態では、本開示によるラベルシステムは、第１のラベルであって、上側及び反対側の下側を有するシート材料であって、上側及び下側が、前縁、後縁、ならびに前縁と後縁を接続する第１及び第２の側縁によって境界付けられるシート材料、シート材料の少なくとも１つの脆弱線であって、少なくとも１つの脆弱線は前縁、後縁、または第１または第２の側縁のいずれとも交差しておらず、少なくとも１つの脆弱線は前縁に向けられた頂点を有する少なくとも１つの非線形セグメントを含み、少なくとも１つの脆弱線内の取り外し可能領域を画定する少なくとも１つの脆弱線、及び少なくとも１つの脆弱線の外側のフレーム領域、非線形セグメントと前縁の間にあるシート材料の空隙、及び下側のフレーム領域の少なくとも一部の接着剤を含む第１のラベル；ならびに第１のラベルと同一である第２のラベルを含み、第２のラベルは、第１のラベル及び第２のラベルの取り外し可能領域が位置合わせされた状態で第１のラベルの上に重ねられて接着される。
【００２７】
少なくとも１つの実施形態では、本開示によるラベルシステムは、第１のラベルであって、上側及び反対側の下側を有するシート材料であって、上側及び下側が、前縁、後縁、ならびに前縁と後縁を接続する第１及び第２の側縁によって境界付けられるシート材料、シート材料の少なくとも１つの脆弱線であって、少なくとも１つの脆弱線が前縁に向けられ、前縁と交差する頂点を有する少なくとも１つの非線形セグメントを含み、少なくとも１つの脆弱線が、別様には前縁、後縁、または第１または第２の側縁のいずれとも交差せず、少なくとも１つの脆弱線内の取り外し可能領域を画定する少なくとも１つの脆弱線、及び少なくとも１つの脆弱線の外側のフレーム領域、及び下側のフレーム領域の少なくとも一部の接着剤を含む第１のラベル；ならびに第１のラベルと同一である第２のラベルを含み、第２のラベルは、第１のラベル及び第２のラベルの取り外し可能領域が位置合わせされた状態で第１のラベルの上に重ねられて接着される。
【００２８】
本開示は、多層ラベルを組み立てるための方法の開示を含む。少なくとも１つの実施形態では、本開示による多層ラベルを組み立てるための方法は、ラベル印刷装置を準備するステップであって、前記ラベル印刷装置が、印刷機構、分配機構、及びレセプタクルを含む、準備するステップ；前記ラベル印刷装置にキャリア材料を設けるステップであって、前記キャリア材料が前記キャリア材料に取り外し可能に接着された第１のラベルを含み、前記第１のラベルは、上側及び反対側の下側を有するシート材料であって、前記上側及び前記下側が、前縁、後縁、ならびに前記前縁と前記後縁を接続する第１及び第２の側縁によって境界付けられるシート材料、前記シート材料の少なくとも１つの脆弱線であって、前記少なくとも１つの脆弱線は前記前縁、前記後縁、または前記第１または第２の側縁のいずれとも交差しておらず、前記少なくとも１つの脆弱線は前記前縁に向けられた頂点を有する少なくとも１つの非線形セグメントを含み、前記少なくとも１つの脆弱線内の取り外し可能領域を画定する前記少なくとも１つの脆弱線、及び前記少なくとも１つの脆弱線の外側のフレーム領域、及び前記下側の前記フレーム領域の少なくとも一部の接着剤を含む、設けるステップ；前記ラベル印刷装置に関して前記第１のラベルを前記キャリア材料から分離するステップ；前記第１のラベルを前記ラベル印刷装置から前記レセプタクルに分配するステップ；前記キャリア材料を前進させて、前記第１のラベルに隣接し、前記キャリア材料に取り外し可能に接着された第２のラベルを供給するステップであって、前記第２のラベルが、前記第１のラベルと構造が同一である、供給するステップ；前記ラベル印刷装置に関して、前記第２のラベルを前記キャリア材料から分離するステップ；及び前記キャリア材料から前記第２のラベルを分配するステップ、この場合、前記第２のラベルは、前記第２のラベルが、前記第１のラベル及び前記第２のラベルの前記取り外し可能領域が位置合わせされた状態で前記第１のラベルの上に重ねられ、接着されるように、前記第１のラベルに下降する分配するステップを含む。
【００２９】
少なくとも１つの実施形態では、本開示による多層ラベルを組み立てるための方法は、ラベル印刷装置を準備するステップであって、前記ラベル印刷装置が、印刷機構、分配機構、及びレセプタクルを含む、準備するステップ；前記ラベル印刷装置にキャリア材料を設けるステップであって、前記キャリア材料が前記キャリア材料に取り外し可能に接着された第１のラベルを含み、前記第１のラベルは、上側及び反対側の下側を有するシート材料であって、前記上側及び前記下側が、前縁、後縁、ならびに前記前縁と前記後縁を接続する第１及び第２の側縁によって境界付けられるシート材料、前記シート材料の少なくとも１つの脆弱線であって、前記少なくとも１つの脆弱線は前記前縁、前記後縁、または前記第１または第２の側縁のいずれとも交差しておらず、前記少なくとも１つの脆弱線は前記前縁に向けられた頂点を有する少なくとも１つの非線形セグメントを含み、前記少なくとも１つの脆弱線内の取り外し可能領域を画定する前記少なくとも１つの脆弱線、及び前記少なくとも１つの脆弱線の外側のフレーム領域、前記非線形セグメントと前記前縁の間にある前記シート材料の空隙、及び前記下側の前記フレーム領域の少なくとも一部の接着剤を含む、設けるステップ；前記ラベル印刷装置に関して前記第１のラベルを前記キャリア材料から分離するステップ；前記第１のラベルを前記ラベル印刷装置から前記レセプタクルに分配するステップ；前記キャリア材料を前進させて、前記第１のラベルに隣接し、前記キャリア材料に取り外し可能に接着された第２のラベルを供給するステップであって、前記第２のラベルが、前記第１のラベルと構造が同一である、供給するステップ；前記ラベル印刷装置に関して、前記第２のラベルを前記キャリア材料から分離するステップ；及び前記キャリア材料から前記第２のラベルを分配するステップ、この場合、前記第２のラベルは、前記第２のラベルが、前記第１のラベル及び前記第２のラベルの前記取り外し可能領域が位置合わせされた状態で前記第１のラベルの上に重ねられ、接着されるように、前記第１のラベルに下降する分配するステップを含む。
【００３０】
少なくとも１つの実施形態では、本開示による多層ラベルを組み立てるための方法は、ラベル印刷装置を準備するステップであって、前記ラベル印刷装置が、印刷機構、分配機構、及びレセプタクルを含む、準備するステップ；前記ラベル印刷装置にキャリア材料を設けるステップであって、前記キャリア材料が前記キャリア材料に取り外し可能に接着された第１のラベルを含み、前記第１のラベルは、上側及び反対側の下側を有するシート材料であって、前記上側及び前記下側が、前縁、後縁、ならびに前記前縁と前記後縁を接続する第１及び第２の側縁によって境界付けられるシート材料、前記シート材料の少なくとも１つの脆弱線であって、前記少なくとも１つの脆弱線が前記前縁に向けられ、前記前縁と交差する頂点を有する少なくとも１つの非線形セグメントを含み、前記少なくとも１つの脆弱線が、別様には前記前縁、前記後縁、または前記第１または第２の側縁のいずれとも交差せず、前記少なくとも１つの脆弱線内の取り外し可能領域を画定する前記少なくとも１つの脆弱線、及び前記少なくとも１つの脆弱線の外側のフレーム領域、及び前記下側の前記フレーム領域の少なくとも一部の接着剤を含む、設けるステップ；前記ラベル印刷装置に関して前記第１のラベルを前記キャリア材料から分離するステップ；前記第１のラベルを前記ラベル印刷装置から前記レセプタクルに分配するステップ；前記キャリア材料を前進させて、前記第１のラベルに隣接し、前記キャリア材料に取り外し可能に接着された第２のラベルを供給するステップであって、前記第２のラベルが、前記第１のラベルと構造が同一である、供給するステップ；前記ラベル印刷装置に関して、前記第２のラベルを前記キャリア材料から分離するステップ；及び前記キャリア材料から前記第２のラベルを分配するステップ、この場合、前記第２のラベルは、前記第２のラベルが、前記第１のラベル及び前記第２のラベルの前記取り外し可能領域が位置合わせされた状態で前記第１のラベルの上に重ねられ、接着されるように、前記第１のラベルに下降する分配するステップを含む。
【００３１】
本開示は、少なくとも１つの多層ラベルアセンブリ装置の開示を含む。少なくとも１つの実施形態では、本開示による多層ラベルアセンブリ装置は、ラベル印刷装置であって、印刷機構と、ラベル分配機構とを備えるラベル印刷装置；及びラベル分配機構に隣接する位置でラベル印刷装置に取り付けられたレセプタクルであって、レセプタクルは剛性材料で構成され、レセプタクルはラベル印刷装置に隣接する近位縁と、近位縁の反対側の遠位縁とを含み、レセプタクルはラベル分配機構から分配されるラベルを受け取るのに適した少なくとも１つの実質的に水平な表面をさらに含み、少なくとも１つの実質的に水平な表面は、ラベル分配機構から分配されるラベル上の接着剤に耐性があるレセプタクルを含む。
【００３２】
本開示の少なくとも１つの実施形態の態様では、多層ラベルアセンブリ装置は、レセプタクルの実質的に水平な表面の上に第１のラベルを含み、第１のラベルの少なくとも一部は、レセプタクルの遠位縁に張り出す。本開示の少なくとも１つの実施形態の態様では、多層ラベルアセンブリ装置は、第１のラベルの上に重ねられ、整列された第２のラベルを含む。
【００３３】
本開示の少なくとも１つの実施形態の態様では、多層ラベルアセンブリ装置は、レセプタクルの遠位縁を含み、遠位縁にノッチ領域を画定する輪郭を含む。本開示の少なくとも１つの実施形態の態様では、多層ラベルアセンブリ装置は、レセプタクルの実質的に水平な表面上に第１のラベルを含み、第１のラベルの少なくとも一部がノッチ領域に張り出している。
【００３４】
本開示の少なくとも１つの実施形態の態様では、多層ラベルアセンブリ装置は、ラベル印刷装置上のラベル存在センサー；及びラベル印刷装置に取り付けられたレセプタクル内の空隙であって、ラベル存在センサーと整列している空隙を含む。本開示の少なくとも１つの実施形態の態様では、第１のラベルはレセプタクルの実質的に水平な表面の上にあり、第１のラベルの少なくとも一部は空隙を覆う。
【００３５】
少なくとも１つの実施形態では、本開示による多層ラベルアセンブリ装置は、ラベル印刷装置であって、印刷機構と、ラベル分配機構とを備えるラベル印刷装置；及びラベル分配機構に隣接して配置されるが、ラベル印刷装置には取り付けられないレセプタクルであって、レセプタクルは、剛性材料で構成され、レセプタクルはラベル印刷装置に隣接する近位縁と、近位縁の反対側の遠位縁とを含み、レセプタクルはラベル分配機構から分配されるラベルを受け取るのに適した少なくとも１つの実質的に水平な表面をさらに含み、少なくとも１つの実質的に水平な表面は、ラベル分配機構から分配されるラベル上の接着剤に耐性があるレセプタクルを含む。
【００３６】
本開示の少なくとも１つの実施形態の態様では、多層ラベルアセンブリ装置は、上面と反対側の底面とを備えるレセプタクルを備え、多層ラベルアセンブリ装置は、底面に接続される１つまたは複数の脚部をさらに含む。本開示の少なくとも１つの実施形態の態様では、１つまたは複数の脚部の少なくとも１つは調整可能である。
【００３７】
添付の図面と共に得られる本開示の方法及びシステムの以下の説明を参照することによって、本開示の特徴及び利点、及びそれらを達成する方法は、いっそう明らかになり、よりよく理解される。
【図面の簡単な説明】
【００３８】
【図１Ａ】本開示の少なくとも１つの実施形態によるラベルの上側を示す。
【図１Ｂ】本開示の少なくとも１つの実施形態によるラベルの下側を示す。
【図２Ａ】本開示の少なくとも１つの実施形態によるラベルの上側を示す。
【図２Ｂ】本開示の少なくとも１つの実施形態によるラベルの下側を示す。
【図３Ａ】本開示の少なくとも１つの実施形態によるラベルの上側を示す。
【図３Ｂ】本開示の少なくとも１つの実施形態によるラベルの下側を示す。
【図４】本開示の少なくとも１つの実施形態による、カートンに適用された２つのラベルを示す。
【図５】本開示の少なくとも１つの実施形態による、表面への将来の適用のためにラベルプリンタからレセプタクルに分配された２つのラベルを示す。
【図６】本開示の少なくとも１つの実施形態による多層ラベルアセンブリ装置のレセプタクルの斜視図を示す。
【図７】本開示の少なくとも１つの実施形態による多層ラベルアセンブリ装置の斜視図を示す。
【図８】本開示の少なくとも１つの実施形態による多層ラベルアセンブリ装置のレセプタクルの斜視図を示す。
【図９】本開示の少なくとも１つの実施形態による多層ラベルアセンブリ装置の斜視図を示す。
【図１０】本開示の少なくとも１つの実施形態による多層ラベルアセンブリ装置の斜視図を示す。
【図１１】本開示の少なくとも１つの実施形態による多層ラベルアセンブリ装置の斜視図を示す。
【図１２】本開示の少なくとも１つの実施形態による多層ラベルアセンブリ装置のレセプタクルの斜視図を示す。
【図１３】本開示の少なくとも１つの実施形態による多層ラベルアセンブリ装置の斜視図を示す。
【図１４】本開示の少なくとも１つの実施形態による多層ラベルアセンブリ装置のレセプタクルの斜視図を示す。
【図１５】本開示の少なくとも１つの実施形態による多層ラベルアセンブリ装置の斜視図を示す。
【図１６】本開示の少なくとも１つの実施形態による多層ラベルアセンブリ装置の斜視図を示す。
【図１７】本開示の少なくとも１つの実施形態による多層ラベルアセンブリ装置の斜視図を示す。
【発明を実施するための形態】
【００３９】
これから、本開示の原理の理解を促進する目的で、図面に示す実施形態を参照し、その実施形態を説明するために特定の用語が使用される。それでもなお、本開示の範囲をそれによって限定する意図がないことは理解されよう。
【００４０】
図１Ａは、本開示の少なくとも１つの実施形態による、ラベル１００の上側１００Ａを示している。本開示の少なくとも１つの実施形態では、ラベル１００は、例えば、紙、ポリエステル、または別のポリマー材料などのラベルストック材料を含む。本開示の少なくとも１つの実施形態では、ラベル１００は、その上の標識の印刷を受け入れるラベルストック材料を含む。例えば、ラベル１００は、インクジェットプリンタ、レーザープリンタ、熱転写プリンタ、直接感熱プリンタ、またはラベル１００に標識を付けることができる別のタイプの印刷装置に曝され得る。インク、トナー、及び／またはラベル１００への標識の適用に使用される他の印刷材料は、そのような標識を適用するために使用される印刷装置、ラベル１００に使用される材料、及びラベル１００の意図される使用に適合するように選択される。
【００４１】
図１Ａに示されるように、ラベル１００は、前縁１０２、後縁１０６、及び側縁１０４、１０８によって境界付けられている。ラベル１００は、取り外し可能領域１２２及びフレーム領域１２４も含む。取り外し可能領域１２２は、取り外し可能領域上面１２２Ａを含み、脆弱線１１０、１１２、１１４、１１６、１１８、１２０によって境界付けられる。フレーム領域１２４は、脆弱線１１０、１１２、１１４、１１６、１１８、１２０の外側であるが、前縁１０２、後縁１０６、及び側縁１０４、１０８の内部にあるラベル１００の部分を含む。図１Ａに示されるように、フレーム領域１２４は、フレーム領域上面１２４Ａを含む。本開示の少なくとも１つの実施形態では、標識がラベル１００の上側１００Ａに追加される。例えば、標識は、ラベル１００の取り外し可能領域上面１２２Ａ、またはラベル１００のフレーム領域上面１２４Ａ、またはラベル１００の取り外し可能領域上面１２２Ａ及びフレーム領域上面１２４Ａの両方に追加され得る。
【００４２】
脆弱線１１０、１１２、１１４、１１６、１１８、１２０は、取り外し可能領域１２２とフレーム領域１２４との間の境界を弱める働きをし、以下で説明するように、フレーム領域１２４からの取り外し可能領域１２２の取り外しを容易にする。脆弱線１１０、１１２、１１４、１１６、１１８、１２０は、ラベル１００を部分的または完全に貫通して延びる切れ目または穿孔を含んでもよい。
【００４３】
ラベル１００の少なくとも１つの実施形態では、脆弱線１１０は、フレーム領域１２４から取り外し可能領域１２２を完全に切り離す曲線カットを含む。ラベル１００の少なくとも１つの実施形態では、脆弱線１１０は、脆弱線１１２の端を脆弱線１１４の端に接続する曲線カットを含む。
【００４４】
ラベル１００の少なくとも１つの実施形態では、脆弱線１１２、１１４はそれぞれ、一般にＶ字形またはＹ字形を有する一連の角のある穿孔を含む。図１Ａに示されるように、脆弱線１１２の各角のある穿孔の頂点は、脆弱線１２０の方向に向けられる。脆弱線１１２を含む一連の角のある穿孔は、各々の角のある穿孔の一方の側が、脆弱線１１０の端と脆弱線１２０の端との間に延びる線と実質的に一致し、各々の角のある穿孔の他方の側が、フレーム領域１２４ではなく、取り外し可能領域１２２に向けられているように配置される。図１Ａに示されるように、脆弱線１１４の各角のある穿孔の頂点は、脆弱線１１６の方向に向けられる。脆弱線１１４を含む一連の角のある穿孔は、各々の角のある穿孔の一方の側が、脆弱線１１０の端と脆弱線１１６の端との間に延びる線と実質的に一致し、各々の角のある穿孔の他方の側が、フレーム領域１２４ではなく、取り外し可能領域１２２に向けられているように配置される。
【００４５】
ラベル１００の少なくとも１つの実施形態では、脆弱線１１２と脆弱線１２０との間の角度は、９０°より大きい。ラベル１００の少なくとも１つの実施形態では、脆弱線１１４と脆弱線１１６との間の角度は９０°よりも大きい。ラベル１００の少なくとも１つの実施形態では、脆弱線１１８と脆弱線１２０の間の角度は約９０°である。ラベル１００の少なくとも１つの実施形態では、脆弱線１１８と脆弱線１１６との間の角度は約９０°である。脆弱線１１２、１１４の角のある穿孔、及び脆弱線１１２と脆弱線１２０の間、及び脆弱線１１４と脆弱線１１６の間の鈍角の使用は、取り外し可能領域１２２の材料を引き裂くことなく１つの動きでフレーム１２４から取り外し可能領域１２２を取り外すことを容易にする。
【００４６】
図１Ｂは、本開示の少なくとも１つの実施形態による、ラベル１００の下側１００Ｂを示す。図１Ｂに示されているのは、前縁１０２、後縁１０６、及び側縁１０４、１０８によって境界付けられたラベル１００である。取り外し可能領域１２２も図１Ｂに示され、脆弱線１１０、１１２、１１４、１１６、１１８、１２０で囲まれている。フレーム領域１２４も図１Ｂに示され、脆弱線１１０、１１２、１１４、１１６、１１８、１２０の外側であるが前縁１０２、後縁１０６、及び側縁１０４、１０８の内部にあるラベル１００の領域を含む。図１Ｂに示されるように、取り外し可能領域１２２は、取り外し可能領域下面１２２Ｂを含む。図１Ｂに示されるように、フレーム領域１２４は、フレーム領域下面１２４Ｂを含む。図１Ｂに示されるように、フレーム領域下面１２４Ｂは、少なくとも部分的に接着剤１２６で覆われているが、取り外し可能領域下面１２２Ｂは、接着特性が低下しているか、完全に接着剤がない場合がある。本開示の少なくとも１つの他の実施形態では、取り外し可能領域下面１２２Ｂは、ライナーの材料（図示せず）で覆われており、ライナーの材料は、その露出側に接着剤がない。本開示の少なくとも１つの他の実施形態では、取り外し可能領域下面１２２Ｂ及びフレーム領域下面１２４Ｂは、接着剤１２６で覆われている。本開示の少なくとも１つの実施形態では、ラベル１００は、キャリア（図示せず）に設けられ、フレーム領域下面１２４Ｂ上の接着剤１２６は、キャリアに取り外し可能に接着される。例えば、そのようなキャリアは、当技術分野で既知のタイプのシリコーン被覆ライナーの材料であり得、接着剤１２６は、シリコーン被覆ライナーの材料に取り外し可能に接着するが、他の表面に永続的または半永続的に接着するタイプであり得る。本開示の少なくとも１つの実施形態では、標識は、ラベル１００の下側１００Ｂに追加される。例えば、標識は、ラベル１００の取り外し可能領域下面１２２Ｂ、またはラベル１００のフレーム領域下面１２４Ｂの接着剤のない領域、またはラベル１００の取り外し可能領域下面１２２Ｂとフレーム領域下面１２４Ｂのいずれかの接着剤のない領域との両方に追加することができる。
【００４７】
図２Ａは、本開示の少なくとも１つの実施形態によるラベル２００の上側２００Ａを示す。本開示の少なくとも１つの実施形態では、ラベル２００は、例えば、紙、ポリエステル、または別のポリマー材料などのラベルストック材料を含む。本開示の少なくとも１つの実施形態では、ラベル２００は、その上の標識の印刷を受け入れるラベルストック材料を含む。例えば、ラベル２００は、インクジェットプリンタ、レーザープリンタ、熱転写プリンタ、直接感熱プリンタ、またはラベル２００に標識を付けることができる別のタイプの印刷装置に曝され得る。インク、トナー、及び／またはラベル２００への標識の適用に使用される他の印刷材料は、そのような標識を適用するために使用される印刷装置、ラベル２００に使用される材料、及びラベル２００の意図される使用と適合するように選択される。
【００４８】
図２Ａに示されるように、ラベル２００は、前縁２０２Ａ、２０２Ｂ、後縁２０６、及び側縁２０４、２０８によって境界付けられる。ラベル２００はまた、取り外し可能領域２２２及びフレーム領域２２４を含む。取り外し可能領域２２２は、取り外し可能領域上面２２２Ａを含み、脆弱線２１０、２１２、２１４、２１６、２１８、２２０によって境界付けられる。フレーム領域２２４は、脆弱線２１０、２１２、２１４、２１６、２１８、２２０の外側であるが前縁２０２Ａ、２０２Ｂ、後縁２０６、及び側縁２０４、２０８の内部にあるラベル２００の部分を含む。図２Ａに示されるように、フレーム領域２２４は、フレーム領域上面２２４Ａを含む。本開示の少なくとも１つの実施形態では、標識は、ラベル２００の上側２００Ａに追加される。例えば、標識は、ラベル２００の取り外し可能領域上面２２２Ａ、またはラベル２００のフレーム領域上面２２４Ａ、またはラベル２００の取り外し可能領域上面２２２Ａ及びフレーム領域上面２２４Ａの両方に追加され得る。
【００４９】
脆弱線２１０、２１２、２１４、２１６、２１８、２２０は、取り外し可能領域２２２とフレーム領域２２４との間の境界を弱めるのに役立ち、以下で論じるように、フレーム領域２２４からの取り外し可能領域２２２を取り外すのを容易にする。脆弱線２１０、２１２、２１４、２１６、２１８、２２０は、ラベル２００を通って部分的または完全に延びるカットまたは穿孔を含み得る。
【００５０】
ラベル２００の少なくとも１つの実施形態では、脆弱線２１０は、フレーム領域２２４から取り外し可能領域２２２を完全に切り離す曲線カットを含む。ラベル２００の少なくとも１つの実施形態では、脆弱線２１０は、脆弱線２１２の端を脆弱線２１４の端に接続する曲線カットを含む。図２Ａに示されるラベル２００の実施形態では、フレーム領域２２４の一部が外されてノッチ２２８を形成する。図２Ａに示されるラベル２００の実施形態では、ノッチ２２８は、脆弱線２１０を露出させる。
【００５１】
ラベル２００の少なくとも１つの実施形態では、脆弱線２１２、２１４は、一般にＶ字形またはＹ字形を有する一連の角のある穿孔を含む。図２Ａに示されるように、脆弱線２１２のそれぞれの角のある穿孔の頂点は、脆弱線２２０の方向に向けられる。脆弱線２１２を含む一連の角のある穿孔は、各角のある穿孔の一方の側が、脆弱線２１０の端と脆弱線２２０の端との間に延びる線と実質的に一致し、各々の角のある穿孔の他方の側は、フレーム領域２２４ではなく、取り外し可能領域２２２に向けられるように配置されている。図２Ａに示されるように、脆弱線２１４の各角のある穿孔の頂点は、脆弱線２１６の方向に向けられる。脆弱線２１４を含む一連の角のある穿孔は、各角のある穿孔の一方の側が、脆弱線２１０の端と脆弱線２１６の端との間に延びる線と実質的に一致し、各々の角のある穿孔の他方の側は、フレーム領域２２４ではなく、取り外し可能領域２２２に向けられるように配置されている。
【００５２】
ラベル２００の少なくとも１つの実施形態では、脆弱線２１２と脆弱線２２０との間の角度は９０°より大きい。ラベル２００の少なくとも１つの実施形態では、脆弱線２１４と脆弱線２１６との間の角度は９０°より大きい。ラベル２００の少なくとも１つの実施形態では、脆弱線２１８と脆弱線２２０との間の角度は約９０°である。ラベル２００の少なくとも１つの実施形態では、脆弱線２１８と脆弱線２１６との間の角度は約９０°である。脆弱線２１２、２１４の角のある穿孔、及び脆弱線２１２と脆弱線２２０の間、及び脆弱線２１４と脆弱線２１６の間の鈍角の使用は、取り外し可能領域２２２の材料を引き裂くことなく１つの動きでフレーム２２４から取り外し可能領域２２２を取り外すことを容易にする。
【００５３】
図２Ｂは、本開示の少なくとも１つの実施形態による、ラベル２００の下側２００Ｂを示す。図２Ｂに示されているのは、前縁２０２Ａ、２０２Ｂ、後縁２０６、及び側縁２０４、２０８によって境界付けられたラベル２００である。取り外し可能領域２２２も図２Ｂに示され、脆弱線２１０、２１２、２１４、２１６、２１８、２２０で囲まれている。フレーム領域２２４も図２Ｂに示され、脆弱線２１０、２１２、２１４、２１６、２１８、２２０の外側であるが、前縁２０２Ａ、２０２Ｂ、後縁２０６、及び側縁２０４、２０８の内部にあるラベル２００の領域を含む。ノッチ２２８も図２Ｂに示されている。
【００５４】
図２Ｂに示されるように、取り外し可能領域２２２は、取り外し可能領域下面２２２Ｂを含む。図２Ｂに示されるように、フレーム領域２２４は、フレーム領域下面２２４Ｂを含む。図２Ｂに示されるように、フレーム領域下面２２４Ｂは、少なくとも部分的に接着剤２２６で覆われているが、取り外し可能領域下面２２２Ｂは、接着特性が低下しているか、完全に接着剤がない場合がある。本開示の少なくとも１つの他の実施形態では、取り外し可能領域下面２２２Ｂは、ライナーの材料（図示せず）で覆われており、ライナーの材料は、その露出側に接着剤がない。本開示の少なくとも１つの他の実施形態では、取り外し可能領域下面２２２Ｂ及びフレーム領域下面２２４Ｂは、接着剤２２６で覆われている。本開示の少なくとも１つの実施形態では、ラベル２００は、キャリア（図示せず）に設けられ、フレーム領域下面２２４Ｂの接着剤２２６は、キャリアに取り外し可能に接着される。例えば、そのようなキャリアは、当技術分野で既知のタイプのシリコーン被覆ライナーの材料であり得、接着剤２２６は、シリコーン被覆ライナーの材料に取り外し可能に接着するが、他の表面に永続的または半永続的に接着するタイプであり得る。本開示の少なくとも１つの実施形態では、標識は、ラベル２００の下側２００Ｂに追加される。例えば、標識は、ラベル２００の取り外し可能領域下面２２２Ｂ、またはラベル２００のフレーム領域下面２２４Ｂの接着剤のない領域、またはラベル２００の取り外し可能領域下面２２２Ｂ及びフレーム領域下面２２４Ｂのいずれかの接着剤のない領域の両方に追加することができる。
【００５５】
図３Ａは、本開示の少なくとも１つの実施形態による、ラベル３００の上側３００Ａを示す。本開示の少なくとも１つの実施形態では、ラベル３００は、例えば、紙、ポリエステル、または別のポリマー材料などのラベルストック材料を含む。本開示の少なくとも１つの実施形態では、ラベル３００は、その上への標識の印刷を受け入れるラベルストック材料を含む。例えば、ラベル３００は、インクジェットプリンタ、レーザープリンタ、熱転写プリンタ、直接感熱プリンタ、またはラベル３００に標識を付けることができる別のタイプの印刷装置に曝されてもよい。インク、トナー、及び／またはラベル３００への標識の適用に使用される他の印刷材料は、そのような標識を適用するために使用される印刷装置、ラベル３００に使用される材料、及びラベル３００の意図される使用に適合するように選択される。
【００５６】
図３Ａに示されるように、ラベル３００は、前縁３０２Ａ、３０２Ｂ、後縁３０６、及び側縁３０４、３０８によって境界付けられる。ラベル３００はまた、取り外し可能領域３２２及びフレーム領域３２４を含む。取り外し可能領域３２２は、取り外し可能領域上面３２２Ａを含み、脆弱線３１０、３１２、３１４、３１６、３１８、３２０によって境界付けられている。フレーム領域３２４は、脆弱線３１０、３１２、３１４、３１６、３１８、３２０の外側であるが、前縁３０２Ａ、３０２Ｂ、後縁３０６、及び側縁３０４、３０８の内部にあるラベル３００の部分を含む。図３Ａに示されるように、フレーム領域３２４は、フレーム領域上面３２４Ａを含む。本開示の少なくとも１つの実施形態では、標識がラベル３００の上側３００Ａに追加される。例えば、標識は、ラベル３００の取り外し可能領域上面３２２Ａ、またはラベル３００のフレーム領域上面３２４Ａ、またはラベル３００の取り外し可能領域上面３２２Ａ及びフレーム領域上面３２４Ａの両方に追加され得る。
【００５７】
脆弱線３１０、３１２、３１４、３１６、３１８、３２０は、取り外し可能領域３２２とフレーム領域３２４との間の境界を弱める働きをし、以下で論じるように、フレーム領域３２４から取り外し可能領域３２２を取り外すのを容易にする。脆弱線３１０、３１２、３１４、３１６、３１８、３２０は、ラベル３００を通って部分的または完全に延びるカットまたは穿孔を含み得る。
【００５８】
ラベル３００の少なくとも１つの実施形態では、脆弱線３１０は、取り外し可能領域３２２をフレーム領域３２４から完全に切断する曲線状の切り込みを含む。ラベル３００の少なくとも１つの実施形態では、脆弱線３１０は、脆弱線３１２の端を脆弱線３１４の端に接続する曲線カットを含む。ラベル３００の少なくとも１つの実施形態では、脆弱線３１０は、頂点３２８を含む曲線カットを含む。ラベル３００の少なくとも１つの実施形態では、脆弱線３１０の頂点３２８は前縁３０２Ａ、３０２Ｂと交差する。
【００５９】
ラベル３００の少なくとも１つの実施形態では、脆弱線３１２、３１４は、一般にＶ字形またはＹ字形を有する一連の角のある穿孔を含む。図３Ａに示されるように、脆弱線３１２の各角のある穿孔の頂点は、脆弱線３２０の方向に向けられる。脆弱線３１２を含む一連の角のある穿孔は、各角のある穿孔の一方の側が、脆弱線３１０の端と脆弱線３２０の端との間に延びる線と実質的に一致し、各々の角のある穿孔の他方の側がフレーム領域３２４ではなく、取り外し可能領域３２２に向けられるように配置される。図３Ａに示されるように、脆弱線３１４の各角のある穿孔の頂点は、脆弱線３１６の方向に向けられる。脆弱線３１４を含む一連の角のある穿孔は、各角のある穿孔の一方の側が、脆弱線３１０の端と脆弱線３１６の端との間に延びる線と実質的に一致し、各々の角のある穿孔の他方の側がフレーム領域３２４ではなく、取り外し可能領域３２２に向けられるように配置される。
【００６０】
ラベル３００の少なくとも１つの実施形態では、脆弱線３１２と脆弱線３２０との間の角度は９０°より大きい。ラベル３００の少なくとも１つの実施形態では、脆弱線３１４と脆弱線３１６との間の角度は９０°よりも大きい。ラベル３００の少なくとも１つの実施形態では、脆弱線３１８と脆弱線３２０との間の角度は約９０°である。ラベル３００の少なくとも１つの実施形態では、脆弱線３１８と脆弱線３１６との間の角度は約９０°である。脆弱線３１２、３１４の角のある穿孔、及び脆弱線３１２と脆弱線３２０の間、及び脆弱線３１４と脆弱線３１６の間の鈍角の使用は、取り外し可能領域３２２の材料を引き裂くことなく１つの動きでフレーム３２４から取り外し可能領域３２２を取り外すことを容易にする。
【００６１】
図３Ｂは、本開示の少なくとも１つの実施形態による、ラベル３００の下側３００Ｂを示す。図３Ｂに示されているのは、前縁３０２Ａ、３０２Ｂ、後縁３０６、及び側縁３０４、３０８によって境界付けられたラベル３００である。取り外し可能領域３２２も図３Ｂに示され、脆弱線３１０、３１２、３１４、３１６、３１８、３２０の線で囲まれている。フレーム領域３２４も図３Ｂに示され、脆弱線３１０、３１２、３１４、３１６、３１８、３２０の外側であるが、前縁３０２Ａ、３０２Ｂ、後縁３０６、及び側縁３０４、３０８の内部にあるラベル３００の領域を含む。脆弱線３１０の頂点３２８も図３Ｂに示されている。
【００６２】
図３Ｂに示されるように、取り外し可能領域３２２は、取り外し可能領域下面３２２Ｂを含む。図３Ｂに示されるように、フレーム領域３２４は、フレーム領域下面３２４Ｂを含む。図３Ｂに示されるように、フレーム領域下面３２４Ｂは、少なくとも部分的に接着剤３２６で覆われているが、取り外し可能領域下面３２２Ｂは、接着特性が低下しているか、完全に接着剤がない場合がある。本開示の少なくとも１つの他の実施形態では、取り外し可能領域下面３２２Ｂは、ライナーの材料（図示せず）で覆われ、このライナーの材料は、その露出側に接着剤がない。本開示の少なくとも１つの他の実施形態では、取り外し可能領域下面３２２Ｂ及びフレーム領域下面３２４Ｂは、接着剤３２６で覆われている。本開示の少なくとも１つの実施形態では、ラベル３００は、キャリア（図示せず）に設けられ、フレーム領域下面３２４Ｂ上の接着剤３２６は、キャリアに取り外し可能に接着される。例えば、そのようなキャリアは、当技術分野で既知のタイプのシリコーン被覆ライナーの材料であり得、接着剤３２６は、シリコーン被覆ライナーの材料に取り外し可能に接着するが、他の表面に永続的または半永続的に接着するタイプであり得る。本開示の少なくとも１つの実施形態では、標識は、ラベル３００の下側３００Ｂに追加される。例えば、標識は、ラベル３００の取り外し可能領域下面３２２Ｂ、またはラベル３００のフレーム領域下面３２４Ｂの任意の接着剤のない領域、またはラベル３００の取り外し可能領域下面３２２Ｂ及びフレーム領域下面３２４Ｂのいずれかの接着剤のない領域の両方に追加することができる。
【００６３】
図４は、本開示の少なくとも１つの実施形態によるカートン４００へのラベル１００の適用を示す。図４に示されるように、本開示の少なくとも１つの実施形態によれば、一対のラベル１００（図４では下方ラベル１００’及び上方ラベル１００’’として示される）は、機械的に（例えば、ラベルアプリケータ装置によって、など）または手によりのいずれかでカートン４００へ適用される。
【００６４】
本開示の少なくとも１つの実施形態では、カートン４００への下方ラベル１００’の適用の前またはこれと併せて、標識が下方ラベル１００’の取り外し可能領域上面１２２Ａに付けられる。例えば、下方ラベル１００’がパッキングリストとして機能することを意図している場合、そのような標識はカートン４００の中身を含み得る。
【００６５】
下方ラベル１００’をカートン４００に適用する目的で、下方ラベル１００’は、下方ラベル１００’の下側１００Ｂ’がカートン４００に面するように向けられる。下方ラベル１００’は、下方ラベル１００’の下側１００Ｂ’の接着剤１２６がカートン４００の上面４０２と接触するまで、矢印４０３によって示される方向に移動される。下方ラベル１００’の下側１００Ｂ’の接着剤１２６は、下方ラベル１００’のフレーム領域下面１２４Ｂをカートン４００の上面４０２に永続的または半永続的に接着する。下方ラベル１００’の取り外し可能領域下面１２２Ｂもカートン４００の上面４０２に隣接しているが、下方ラベル１００’の取り外し可能領域下面１２２Ｂは接着特性が低下しているか、完全に接着剤がない可能性があるため、下方ラベル１００’の取り外し可能領域下面１２２Ｂはカートン４００の上面４０２に接着しない。
【００６６】
本開示の少なくとも１つの実施形態では、上方ラベル１００’’が下方ラベル１００’の上に適用され、それに位置合わせされている。少なくとも１つの実施形態では、カートン４００への上方ラベル１００’’の適用の前またはこれと併せて、標識が上方ラベル１００’’の取り外し可能領域上面１２２Ａ内など、上方ラベル１００’’の上側１００Ａ’’に付けられる。例えば、上方ラベル１００’’が荷送者ラベルとして機能することを意図している場合、そのような標識は、カートン４００が発送される住所、返送先住所、バーコード、マキシコード、識別番号などを含むことができる。
【００６７】
上方ラベル１００’’を下方ラベル１００’に適用するために、上方ラベル１００’’は、上方ラベル１００’’の下側１００Ｂ’’が上側１００Ａ’上側１００Ａ’に面するように配向される。上方ラベル１００’’は、上方ラベル１００’’の下側１００Ｂ’’の接着剤１２６が下方ラベル１００’の上側１００Ａ’と接触するまで、矢印４０４によって示される方向に動かされる。上方ラベル１００’’の下側１００Ｂ’’の接着剤１２６は、永続的または半永続的に、上方ラベル１００’’のフレーム領域下面１２４Ｂを下方ラベル１００’のフレーム領域上面１２４Ａに接着する。上方ラベル１００’’の取り外し可能領域下面１２２Ｂはまた、下方ラベル１００’の取り外し可能領域上面１２２Ａに隣接し、それらと位置合わせされているが、上方ラベル１００’’の取り外し可能領域下面１２２Ｂは、接着特性が低下しているか、完全に接着剤がない場合があるため、上方ラベル１００’’の取り外し可能領域下面１２２Ｂは、下方ラベル１００’の取り外し可能領域上面１２２Ａに接着しない。
【００６８】
また、下方ラベル１００’がカートン４００の上面４０２に適用される前に、上方ラベル１００’’が上記の方法で下方ラベル１００’に接着されてもよいことも本開示の範囲内である。そのような実施形態では、上方ラベル１００’’が下方ラベル１００’に接着された後、共に接着されたラベル１００は、次に、カートン４００に同時に適用される。
【００６９】
本開示を提示した後、当業者は、一対のラベル２００または一対のラベル３００が、一対のラベル１００に関して上述したのと同じ方法で輸送カートン４００に適用され得ることを理解する。
【００７０】
一対のラベル１００が接着されたカートン４００を所持する人（カートン４００の受領者など）は、上方ラベル１００’’の取り外し可能領域１２２を除去して、下方ラベル１００’の取り外し可能領域１２２を露出させることができる。例えば、カートン４００を所有している人（カートン４００の受領者など）は、カートン４００の中身を知ることに興味があり得、下方ラベル１００’の取り外し可能領域１２２は、カートン４００の中身を明示する標識を含むパッキングリストであり得る。
【００７１】
少なくとも１つの実施形態では、上方ラベル１００’’の取り外し可能領域１２２は下方ラベル１００’に接着されていないので、上方ラベル１００’’の取り外し可能領域１２２は、最初に脆弱線１１０を通して指の爪または他の道具を挿入し、脆弱線１１０に隣接する上方ラベル１００’’の取り外し可能領域１２２の部分を持ち上げることなどにより、脆弱線１１０で上方ラベル１００’’のフレーム領域１２４から上方ラベル１００’’の取り外し可能領域１２２を分離することによって、上方ラベル１００’’のフレーム領域１２４から除去され得る。脆弱線１１０に隣接する取り外し可能領域１２２の部分がフレーム領域１２４から分離された後、上方ラベル１００’’の取り外し可能領域１２２の残りは、脆弱線１１２、１１４、１１６、１１８、１２０に沿って上方ラベル１００’’のフレーム領域１２４から分離され得、必要に応じて、上方ラベル１００’’から完全に取り外し得る。上方ラベル１００’’のフレーム領域１２４は、下方ラベル１００’に接着されたままである。
【００７２】
同様に、少なくとも１つの実施形態では、下方ラベル１００’’の取り外し可能領域１２２はカートン４００に接着されていないため、下方ラベル１００’の取り外し可能領域１２２は、最初に脆弱線１１０を通して指の爪または他の道具を挿入し、脆弱線１１０に隣接する下方ラベル１００’の取り外し可能領域１２２の部分を持ち上げることなどにより、脆弱線１１０で下方ラベル１００’のフレーム領域１２４から下方ラベル１００’の取り外し可能領域１２２を分離することによって、下方ラベル１００’のフレーム領域１２４から除去され得る。脆弱線１１０に隣接する取り外し可能領域１２２の部分がフレーム領域１２４から分離された後、下方ラベル１００’の取り外し可能領域１２２の残りは、脆弱線１１２、１１４、１１６、１１８、１２０に沿って下方ラベル１００’のフレーム領域１２４から分離され得、必要に応じて、下方ラベル１００’から完全に取り外し得る。下方ラベル１００’のフレーム領域１２４はカートン４００に接着したままである。
【００７３】
図５は、本開示の少なくとも１つの実施形態による、ラベルプリンタ５００からのラベル１００の分配を示す。図５に示されているのは、印刷機構（図示せず）、分配機構５０１、及びレセプタクル５０２を備えるラベルプリンタ５００である。ラベルプリンタ５００は、インクジェットプリンタ、レーザープリンタ、熱転写プリンタ、直接感熱プリンタ、または各ラベル１００に標識を付けることができる別のタイプの印刷装置を含み得る。レセプタクル５０２は、例えば、ステンレス鋼、アルミニウム、ガラス繊維、またはプラスチック材料など、ラベルプリンタ５００から分配されたラベル１００を受け取る目的で選択された剛性材料で構成され得る。本開示の少なくとも１つの実施形態によれば、レセプタクル５０２は、水平または実質的に水平である。他の実施形態では、レセプタクル５０２は、傾斜角または斜角で配向されてもよい。図５に示されるように、本開示の少なくとも１つの実施形態によれば、複数のラベル１００が、キャリア（図示せず）上のラベルプリンタ５００に設けられる。例えば、複数のラベル１００は、ロール構成または扇状に折り畳まれた構成でキャリア材料に取り外し可能に接着され、ラベルプリンタ５００による印刷及びラベルプリンタ５００からの分配を予測する方法で、ラベルプリンタ５００に供給される。図５に示されるように、２つのラベル１００（図５では下方ラベル１００’及び上方ラベル１００’’として識別される）は、ラベルプリンタ５００から順番に分配される。一対のラベル１００は、ラベルプリンタ５００の分配機構５０１によって分配され、その結果、各ラベル１００は、キャリア材料から分離され、矢印５０５の方向にラベルプリンタ５００から放出され、次いで、ラベルプリンタ５００のレセプタクル５０２にて、互いと位置合わせされて静止する。その後、互いに位置合わせされて一緒に接着された一対のラベル１００は、機械的に（例えば、ラベルアプリケータ装置によって、など）または手によりのいずれかで、レセプタクル５０２から取り出せ、表面（例えば、カートン４００の上面４０２など）に、機械的に（例えば、ラベルアプリケータ装置によって、など）または手によりのいずれか適用できる。
【００７４】
本開示の少なくとも１つの実施形態では、ラベルプリンタ５００のレセプタクル５０２への下方ラベル１００’の分配の前またはそれに併せて、ラベルプリンタ５００の印刷機構（図示せず）によって下方ラベル１００’の取り外し可能領域上面１２２Ａに標識が付けられる。例えば、下方ラベル１００’がパッキングリストとして機能することを意図している場合、そのような標識はカートン４００など、ラベル１００’が接着される容器の中身を含み得る。
【００７５】
下方ラベル１００’は、下方ラベル１００’の下側１００Ｂ’がラベルプリンタ５００のレセプタクル５０２に面するように、ラベルプリンタ５００から分配される。下方ラベル１００’は、下方ラベル１００’の下側１００Ｂ’がラベルプリンタ５００のレセプタクル５０２と接触するまで、矢印５０３によって示される方向に移動する。下方ラベル１００’の上側１００Ａ’には圧力がかからないので、下方ラベル１００’の下側１００Ｂ’の接着剤１２６は、下方ラベル１００’のフレーム領域下面１２４Ｂをラベルプリンタ５００のレセプタクル５０２に接着しない。少なくとも１つの実施形態では、レセプタクル５０２は、レセプタクル５０２への接着剤１２６の接着を遅らせる非粘着性表面を含む。下方ラベル１００’の取り外し可能領域下面１２２Ｂもラベルプリンタ５００のレセプタクル５０２に隣接しているが、下方ラベル１００’の取り外し可能領域下面１２２Ｂは接着特性が低下しているか、完全に接着剤がない可能性があるため、下方ラベル１００’の取り外し可能領域下面１２２Ｂまた、ラベルプリンタ５００のレセプタクル５０２に接着しない。
【００７６】
次に、本開示の少なくとも１つの実施形態では、上方ラベル１００’’がラベルプリンタ５００から分配される。上方ラベル１００’’が下方ラベル１００’の上に、それと位置合わせされて下降する。少なくとも１つの実施形態では、ラベルプリンタ５００のレセプタクル５０２上への上方ラベル１００’’の分配の前またはそれと併せて、ラベルプリンタ５００のプリンタ機構（図示せず）によって上方ラベル１００’’の取り外し可能領域上面１２２Ａ内など、上方ラベル１００’’の上側１００Ａ’’に、標識が付けられる。例えば、上方ラベル１００’’が出荷ラベルとして機能することを意図している場合、そのような標識は、カートン４００などのラベル１００’が接着される容器が出荷される予定の住所、返送先住所、バーコード、マキシコード、識別番号などを含むことができる。
【００７７】
上方ラベル１００’’は、上方ラベル１００’’の下側１００Ｂ’’が上側１００Ａ’上側１００Ａ’に面するように、ラベルプリンタ５００から分配される。上方ラベル１００’’は、上方ラベル１００’’の下側１００Ｂ’’の接着剤１２６が下方ラベル１００’の上側１００Ａ’と接触するまで、矢印５０４によって示される方向に動かされる。上方ラベル１００’’の下側１００Ｂ’’の接着剤１２６は、上方ラベル１００’’のフレーム領域下面１２４Ｂを、下方ラベル１００’のフレーム領域上面１２４Ａに、一対のラベルをユニットとして取り扱うことができるほど十分な程度まで、機械的に（例えば、ラベルアプリケータ装置によって、など）または手によりのいずれかで接着する。上方ラベル１００’’の取り外し可能領域下面１２２Ｂはまた、下方ラベル１００’の取り外し可能領域上面１２２Ａに隣接し、それらと位置合わせされているが、上方ラベル１００’’の取り外し可能領域下面１２２Ｂは、接着特性が低下しているか、完全に接着剤がない場合があるため、上方ラベル１００’’の取り外し可能領域下面１２２Ｂは、下方ラベル１００’の取り外し可能領域上面１２２Ａに接着しない。そのような実施形態では、上方ラベル１００’’が下方ラベル１００’に接着された後、共に接着されたラベル１００は、次いで、機械的に（例えば、ラベルアプリケータ装置によって、など）、または手によりのいずれかで、カートン４００の上面４０２などの表面に同時に適用される。
【００７８】
図６は、本開示の少なくとも１つの実施形態によるレセプタクル５０２の斜視図を示す。図６に示されるように、レセプタクル５０２は、上面５０２１、反対側の底面５０２２、遠位縁５０２４、及び近位縁５０２８を含む。本開示の少なくとも１つの実施形態では、遠位縁５０２４は、レセプタクル５０２のノッチ領域５０２３を画定する輪郭を備える。図６に示されるレセプタクル５０２の実施形態は、近位縁５０２８に隣接する空隙５０２５をさらに含む。少なくとも１つの実施形態では、レセプタクル５０２の上面５０２１は、例えば、非粘着性コーティングまたは非粘着性テープなどの、レセプタクル５０２への接着剤の接着を遅らせる非粘着性特性を含む。
【００７９】
図７は、水平または実質的に水平な構成でラベルプリンタ５００に取り付けられたレセプタクル５０２の実施形態の斜視図を示す。実質的に水平な構成は、第１のラベル及び第２のラベル（下方ラベル１００’及び上方ラベル１００’’など）がラベルプリンタ５００の分配機構５０１によって分配され、本明細書で論じるようにレセプタクル５０２の上面５０２１に下降すると、ラベルに作用する重力が、ラベルをレセプタクル５０２の近位縁５０２８または遠位縁５０２４のいずれかに向かってスライドさせないということを意味する（ラベルはまた、レセプタクル５０２の上面５０２１に接着しないことに留意されたい）。
【００８０】
図７に示されるように、近位縁５０２８は、ラベルプリンタ５００の分配機構５０１に隣接している。図７には、ラベルプリンタ５００のラベル存在センサー５０６も示されている。図７に示されるように、レセプタクル５０２がラベルプリンタ５００に取り付けられると、空隙５０２５は、ラベル存在センサー５０６と整列され、ラベル存在センサー５０６の適切な動作を可能にする。
【００８１】
図８は、本開示の少なくとも１つの実施形態によるレセプタクル５０２の斜視図を示す。図８に示されるように、レセプタクル５０２は、上面５０２１、反対側の底面５０２２、遠位縁５０２４、及び近位縁５０２８を含む。本開示の少なくとも１つの実施形態では、遠位縁５０２４は、レセプタクル５０２のノッチ領域５０２３を画定する輪郭を備える。図８に示されるレセプタクル５０２の実施形態は、近位縁５０２８に隣接するコーナー空隙５０２６をさらに含む。少なくとも１つの実施形態では、レセプタクル５０２の上面５０２１は、例えば、非粘着性コーティングまたは非粘着性テープなどの、レセプタクル５０２への接着剤の接着を遅らせる非粘着性特性を含む。
【００８２】
図９は、水平または実質的に水平な構成でラベルプリンタ５００に取り付けられたレセプタクル５０２の実施形態の斜視図を示す。図９に示されるように、近位縁５０２８は、ラベルプリンタ５００の分配機構５０１に隣接している。図９には、ラベルプリンタ５００のラベル存在センサー５０６も示されている。図９に示されるように、レセプタクル５０２がラベルプリンタ５００に取り付けられると、コーナー空隙５０２６は、ラベル存在センサー５０６と整列され、ラベル存在センサー５０６の適切な動作を可能にする。
【００８３】
図１０は、ラベルプリンタ５００が動作している間、レセプタクル５０２が取り付けられたラベルプリンタ５００の斜視図を示す。少なくとも１つの実施形態では、複数のラベル１００は、ロール構成または扇状に折り畳まれた構成でキャリア材料に取り外し可能に接着され、ラベルプリンタ５００による印刷及びそれからの分配を予測する方法でラベルプリンタ５００に供給される。少なくとも１つの実施形態では、複数のラベル１００は、キャリア材料のないライナーレス設計であり、ラベルプリンタ５００による印刷及びそれからの分配を予測する方法で、ラベルプリンタ５００に供給される。図１０に示されるように、下方ラベル１００’は、ラベルプリンタ５００の分配機構５０１によって分配され、レセプタクル５０２の上面５０２１に下降する。図１０に示されるように、下方ラベル１００’の少なくとも一部は、レセプタクル５０２の遠位縁５０２４を越えて延びる。下方ラベル１００’の下側１００Ｂ’は、その少なくとも一部に接着剤を付けており、レセプタクル５０２の上面５０２１に面している。本開示の少なくとも１つの他の実施形態では、下方ラベル１００’の下側１００Ｂ’のすべてまたは実質的にすべてが接着剤で覆われている。レセプタクル５０２の上面５０２１は非粘着性を含むので、下方ラベル１００’の下側１００Ｂ’の接着剤は上面５０２１に接着しない。図１０に示されるように、下方ラベル１００’の上側１００Ａ’が露出している。
【００８４】
図１１は、ラベルプリンタ５００が動作し続けている間、レセプタクル５０２が取り付けられたラベルプリンタ５００の斜視図を示している。図１１に示されるように、上方ラベル１００’’は、ラベルプリンタ５００の分配機構５０１によって分配され、下方ラベル１００’の上に、それと位置合わせされて下降する。ラベル１００は、下方ラベル１００’の上に、それと位置合わせさせる上方ラベル１００’’を含み、レセプタクル５０２のノッチ領域５０２３を越えて延びる。図１１に示されるように、上方ラベル１００’’の上側１００Ａ’’が露出している。上方ラベル１００’’の下側１００Ｂ’’は、少なくともその一部に接着剤が付いており、下方ラベル１００’と位置合わせされた上方ラベル１００’’を備える共に接着されたラベル１００が、機械的に（例えば、ラベルアプリケータ装置によって、など）または手によりのいずれかで、ユニットとして取り扱うことができるほど十分な程度まで、下方ラベル１００’の上側１００Ａ’に接着される。本開示の少なくとも１つの実施形態では、共に接着されたラベル１００は、レセプタクル５０２の遠位縁５０２４を越えて延びる共に接着されたラベル１００の領域において、共に接着されたラベル１００の一部を把持することによって、機械的に（例えば、ラベルアプリケータ装置によって、など）または手によりのいずれかで、ラベルレセプタクル５０２から外され得る。
【００８５】
図１２は、本開示の少なくとも１つの実施形態によるレセプタクル５０２の斜視図を示す。図１２に示されるように、レセプタクル５０２は、上面５０２１、反対側の底面５０２２、遠位縁５０２４、脚部５０２７、及び近位縁５０２８を含む。脚部５０２７は、レセプタクル５０２の底面５０２２に機械的に接続される。本開示の少なくとも１つの実施形態では、遠位縁５０２４は、レセプタクル５０２のノッチ領域５０２３を画定する輪郭を備える。図１２に示されるレセプタクル５０２の実施形態は、近位縁５０２８に隣接する空隙５０２５をさらに含む。少なくとも１つの実施形態では、レセプタクル５０２の上面５０２１は、例えば、非粘着性コーティングまたは非粘着性テープなどの、レセプタクル５０２への接着剤の接着を遅らせる非粘着性特性を含む。
【００８６】
図１３は、ラベルプリンタ５００と共に使用されるレセプタクル５０２の実施形態の斜視図を示す。図１３に示されるように、レセプタクル５０２は、ラベルプリンタ５００の隣に配置され、近位縁５０２８は、ラベルプリンタ５００の分配機構５０１に隣接する。少なくとも１つの実施形態では、脚部５０２７は、レセプタクル５０２に機械での支えをもたらし、その結果、レセプタクル５０２は、所望の高さに維持され、水平または実質的に水平の構成で維持される。１つ以上の脚部５０２７は、垂直方向に調整するように構成され得る。図１３に示される実施形態では、脚部５０２７はレセプタクル５０２に機械での支えをもたらしながら、レセプタクル５０２はラベルプリンタ５００に取り付けられてもよい。図１３には、ラベルプリンタ５００のラベル存在センサー５０６も示されている。図１３に示されるように、レセプタクル５０２がラベルプリンタ５００に取り付けられると、空隙５０２５は、ラベル存在センサー５０６と整列され、ラベル存在センサー５０６の適切な動作を可能にする。
【００８７】
図１４は、本開示の少なくとも１つの実施形態によるレセプタクル５０２の斜視図を示す。図１４に示されるように、レセプタクル５０２は、上面５０２１、反対側の底面５０２２、遠位縁５０２４、脚部５０２７、及び近位縁５０２８を含む。脚部５０２７は、レセプタクル５０２の底面５０２２に機械的に接続される。本開示の少なくとも１つの実施形態では、遠位縁５０２４は、レセプタクル５０２のノッチ領域５０２３を画定する輪郭を備える。図１４に示されるレセプタクル５０２の実施形態は、近位縁５０２８に隣接するコーナー空隙５０２６をさらに含む。少なくとも１つの実施形態では、レセプタクル５０２の上面５０２１は、例えば、非粘着性コーティングまたは非粘着性テープなどの、レセプタクル５０２への接着剤の接着を遅らせる非粘着性特性を含む。
【００８８】
図１５は、ラベルプリンタ５００と共に使用されるレセプタクル５０２の実施形態の斜視図を示す。図１５に示されるように、レセプタクル５０２は、ラベルプリンタ５００の隣に配置され、近位縁５０２８は、ラベルプリンタ５００の分配機構５０１に隣接する。少なくとも１つの実施形態では、脚部５０２７は、レセプタクル５０２に機械での支えをもたらし、その結果、レセプタクル５０２は、所望の高さに維持され、水平または実質的に水平の構成で維持される。１つ以上の脚部５０２７は、垂直方向に調整するように構成され得る。図１５に示される実施形態では、脚部５０２７がレセプタクル５０２に機械での支えをもたらしながら、レセプタクル５０２がラベルプリンタ５００に取り付けられてもよい。図１５には、ラベルプリンタ５００のラベル存在センサー５０６も示されている。図１５に示されるように、レセプタクル５０２がラベルプリンタ５００に取り付けられると、コーナー空隙５０２６は、ラベル存在センサー５０６と整列され、ラベル存在センサー５０６の適切な動作を可能にする。
【００８９】
図１６は、ラベルプリンタ５００が動作している間、レセプタクル５０２が取り付けられたラベルプリンタ５００の斜視図を示す。少なくとも１つの実施形態では、複数のラベル１００は、ロール構成または扇状に折り畳まれた構成でキャリア材料に取り外し可能に接着され、ラベルプリンタ５００による印刷及びそれからの分配を予測する方法でラベルプリンタ５００に供給される。少なくとも１つの実施形態では、複数のラベル１００は、キャリア材料のないライナーレス設計であり、ラベルプリンタ５００による印刷及びそれからの分配を予測する方法で、ラベルプリンタ５００に供給される。図１６に示されるように、下方ラベル１００’は、ラベルプリンタ５００の分配機構５０１によって分配され、レセプタクル５０２の上面５０２１に下降する。図１６に示されるように、下方ラベル１００’の少なくとも一部は、レセプタクル５０２の遠位縁５０２４を越えて延びる。下方ラベル１００’の下側１００Ｂ’は、少なくともその一部に接着剤が付いており、レセプタクル５０２の上面５０２１に面している。本開示の少なくとも１つの他の実施形態では、下方ラベル１００’の下側１００Ｂ’のすべてまたは実質的にすべてが接着剤で覆われている。レセプタクル５０２の上面５０２１は非粘着性を含むので、下方ラベル１００’の下側１００Ｂ’の接着剤は上面５０２１に接着しない。図１６に示されるように、下方ラベル１００’の上側１００Ａ’が露出している。
【００９０】
図１７は、ラベルプリンタ５００が動作し続けている間、レセプタクル５０２が取り付けられたラベルプリンタ５００の斜視図を示している。図１７に示されるように、上方ラベル１００’’は、ラベルプリンタ５００の分配機構５０１によって分配され、下方ラベル１００’の上に、それに位置合わせされて下降する。ラベル１００は、下方ラベル１００’の上に、下方ラベル１００’と位置合わせさせる上方ラベル１００’’を含み、レセプタクル５０２のノッチ領域５０２３を越えて延びる。図１７に示されるように、上方ラベル１００’’の上側１００Ａ’’が露出している。上方ラベル１００’’の下側１００Ｂ’’は、少なくともその一部に接着剤が付いており、下方ラベル１００’と位置合わせされた上方ラベル１００’’を備える共に接着されたラベル１００が、機械的に（例えば、ラベルアプリケータ装置によって、など）または手によりのいずれかで、ユニットとして取り扱うことができるほど十分な程度まで、下方ラベル１００’の上側１００Ａ’に接着される。本開示の少なくとも１つの実施形態では、共に接着されたラベル１００は、レセプタクル５０２の遠位縁５０２４を越えて延びる共に接着されたラベル１００の領域において、共に接着されたラベル１００の一部を把持することによって、機械的に（例えば、ラベルアプリケータ装置によって、など）または手によりのいずれかで、ラベルレセプタクル５０２から外され得る。
【００９１】
本開示を提示された後、当業者は、ラベル２００の対またはラベル３００の対が、ラベル１００の対に関して上記と同じ方法でラベルプリンタ５００から分配され得ることを理解する。
【００９２】
本開示を提示した後、当業者は、ラベル２００の取り外し可能領域２２２が、ラベル１００に関して上述したのと同様の方法で、ラベル２００のフレーム領域２２４から部分的または完全に取り外され得ることを理解する。ラベル２００のノッチ２２８は、ラベル２００の脆弱線２１０へのアクセスを容易にし、これにより、ラベル２００のフレーム領域２２４から取り外し可能領域２２２を除去することをより容易にすることができる。
【００９３】
本開示を提示した後、当業者は、ラベル３００の取り外し可能領域３２２が、ラベル１００に関して上述したのと同様の方法で、ラベル３００のフレーム領域３２４から部分的または完全に取り外され得ることを理解する。頂点３２８とラベル３００の前縁３０２Ａ、３０２Ｂとの交点は、ラベル３００の脆弱線３１０へのアクセスを容易にし、これにより、ラベル３００のフレーム領域３２４から取り外し可能領域３２２を除去することをより容易にすることができる。
【００９４】
本開示は好ましい設計を有するものとして説明されているが、本開示による装置及び方法は、本開示の範囲内及び精神でさらに修正することができる。したがって、本願は、その一般原則を使用して、開示の変形版、使用、または適合を網羅することを意図している。例えば、本明細書及び添付の特許請求の範囲に開示される任意の方法は、そのステップを実行する１つの可能なシーケンスを表す。実施者は、特定の実装において、開示される方法の１つ以上の複数のステップが組み合わせ可能であり得る、または同じ結果を達成するために異なるステップのシーケンスが採用され得ると判断し得る。このような実装のそれぞれは、本明細書及び添付の特許請求の範囲に開示されている本開示の範囲内にある。さらに、本願は、本開示が関係する当技術分野における既知のまたは慣習的な慣行の範囲内にある、本開示からのそのような逸脱を網羅することを意図している。
【図１Ａ】
2021519715.tif 000003
【図１Ｂ】
2021519715.tif 000004
【図２Ａ】
2021519715.tif 000005
【図２Ｂ】
2021519715.tif 000006
【図３Ａ】
2021519715.tif 000007
【図３Ｂ】
2021519715.tif 000008
【図４】
2021519715.tif 000009
【図５】
2021519715.tif 000010
【図６】
2021519715.tif 000011
【図７】
2021519715.tif 000012
【図８】
2021519715.tif 000013
【図９】
2021519715.tif 000014
【図１０】
2021519715.tif 000015
【図１１】
2021519715.tif 000016
【図１２】
2021519715.tif 000017
【図１３】
2021519715.tif 000018
【図１４】
2021519715.tif 000019
【図１５】
2021519715.tif 000020
【図１６】
2021519715.tif 000021
【図１７】
2021519715.tif 000022
【国際調査報告】
2021519715.tif 000023